(57)【要約】  【課題】  診療所のような小規模医療機関にて、患者に合わせた適切な生活指導を容易に実現できる技術を提供する。  【解決手段】  生活指導支援装置２は、複数の診療所端末装置３および複数の患者端末装置５と通信で接続される。生活指導支援装置２は患者情報を取得し、患者情報データベース２５に記憶させる。生活指導支援装置２は、患者情報を読み出し、外部スタッフ端末装置４に送信すると共に、外部スタッフ端末装置４にて生成された生活指導の情報を外部スタッフ端末装置４から受信する。そして、生活指導の情報は、生活指導支援装置２から診療所端末装置３へ送信される。専門スタッフの直接指導に近い生活指導を医療機関で実現できる。【選択図】  図１
2005107625.tif 000002
【特許請求の範囲】
【請求項１】
生活習慣病治療のために患者の生活指導の情報を提供する生活指導支援システムであって、
複数の医療機関にそれぞれ備えられる複数の医療機関端末装置と、
前記複数の医療機関端末装置に通信で接続され、生活指導の情報を提供する生活指導支援装置と、
前記生活指導支援装置にさらに通信で接続され、複数の外部専門スタッフにそれぞれ操作される複数の外部スタッフ端末装置と、
を含み、
前記生活指導支援装置が、
患者の生活形態を含む患者情報を取得する手段と、
取得された前記患者情報を記憶する患者情報記憶手段と、
前記患者情報記憶手段から前記患者情報を読み出して、読み出した前記患者情報を前記外部スタッフ端末装置へと通信で送信することで前記外部スタッフ端末装置上で外部専門スタッフに前記患者情報を提示させるとともに、前記外部スタッフ端末装置にて外部専門スタッフの入力操作の受付に応じて生成され該入力操作により入力された情報を有する生活指導の情報が、前記外部スタッフ端末装置から通信で受信されると、該生活指導の情報の受信に応じて、受信された生活指導の情報を取得する手段と、
取得された生活指導の情報を記憶する生活指導情報記憶手段と、
前記生活指導情報記憶手段から前記生活指導の情報を読み出して、前記医療機関端末装置へと通信で送信することで前記医療機関端末装置へ前記生活指導の情報を提供する手段と、
を含むことを特徴とする生活指導支援システム。
【請求項２】
生活習慣病治療のために患者の生活指導の情報を提供する生活指導支援装置であって、
複数の外部専門スタッフにそれぞれ操作される複数の外部スタッフ端末装置と通信する通信手段と、
医療機関の患者の生活形態を含む患者情報を取得する患者情報取得手段と、
取得された前記患者情報を記憶する患者情報記憶手段と、
前記患者情報記憶手段から前記患者情報を読み出して、読み出した前記患者情報を前記外部スタッフ端末装置へと通信で送信することで前記外部スタッフ端末装置上で外部専門スタッフに前記患者情報を提示させるとともに、前記外部スタッフ端末装置にて外部専門スタッフの入力操作の受付に応じて生成され該入力操作により入力された情報を有する生活指導の情報が、前記外部スタッフ端末装置から通信で受信されると、該生活指導の情報の受信に応じて、受信された生活指導の情報を取得する生活指導情報取得手段と、
取得された生活指導の情報を記憶する生活指導情報記憶手段と、
前記生活指導情報記憶手段から前記生活指導の情報を読み出して、読み出した前記生活指導の情報を前記医療機関へ提供するために出力する処理を行う生活指導情報提供手段と、
を含むことを特徴とする生活指導支援装置。
【請求項３】
請求項２に記載の生活指導支援装置において、
前記患者情報取得手段は、患者情報として、医療機関における治療プランを含む情報を取得し、
前記生活指導情報取得手段は、前記治療プランを含む前記患者情報を前記外部スタッフ端末装置に送るとともに、前記外部スタッフ端末装置で生成された生活指導の情報を取得することを特徴とする生活指導支援装置。
【請求項４】
請求項２に記載の生活指導支援装置において、
前記患者情報取得手段は、患者情報として、指導対象患者の生活記録を含む情報を取得し、
前記生活指導情報取得手段は、前記生活記録の添削のための入力操作の受付に応じて前記生活記録の情報を変更する前記外部スタッフ端末装置での前記生活記録の添削処理を経た前記生活記録の情報を前記外部スタッフ端末装置から取得することを特徴とする生活指導支援装置。
【請求項５】
請求項２に記載の生活指導支援装置において、
各々の指導対象患者を担当するように設定された外部専門スタッフを指導対象患者と関連づけて記憶する担当外部スタッフ記憶手段を含み、
前記生活指導情報取得手段は、前記担当外部スタッフ記憶手段から指導対象患者を担当すべき外部専門スタッフの情報を読み出し、読み出した外部専門スタッフが操作する外部スタッフ端末装置から受信される生活指導の情報を取得することを特徴とする生活指導支援装置。
【請求項６】
請求項２に記載の生活指導支援装置において、
前記生活指導情報取得手段は、外部専門スタッフである管理栄養士に操作される外部スタッフ端末装置に患者情報を通信で提示して食事指導の情報を取得することを特徴とする生活指導支援装置。
【請求項７】
請求項２に記載の生活指導支援装置において、
前記生活指導情報取得手段は、外部専門スタッフである運動療法士に操作される外部スタッフ端末装置に患者情報を通信で提示して運動指導の情報を取得することを特徴とする生活指導支援装置。
【請求項８】
請求項２に記載の生活指導支援装置において、
前記患者情報記憶手段は、生活指導の情報を生成するための基礎情報になる患者の治療プランの情報を含む患者情報を記憶し、
さらに、医療機関の情報を記憶する医療機関情報記憶手段と、
各患者と該患者が通院する医療機関を対応づける患者医療機関対応情報を記憶する手段と、
前記治療プランの情報を含む前記患者情報と前記医療機関の情報と前記患者医療機関対応情報を読み出し、前記治療プランの対象の患者に対応する医療機関を前記患者医療機関対応情報から求めるとともに、前記治療プラン上で要求されるリマインド事項を前記治療プランの情報から求め、前記医療機関の情報に基づいて、前記患者医療機関対応情報が示す医療機関から前記患者へ前記リマインド事項を伝えるリマインド情報を生成するリマインド情報生成手段と、
を含むことを特徴とする生活指導支援装置。
【請求項９】
生活習慣病治療のために患者の生活指導の情報をコンピュータの情報処理により提供する生活指導支援方法であって、
医療機関の患者の生活形態を含む患者情報を前記コンピュータが取得するステップと、
取得された前記患者情報を前記コンピュータの患者情報記憶手段に記憶させるステップと、
前記コンピュータが前記患者情報記憶手段から前記患者情報を読み出して、読み出した前記患者情報を、外部専門スタッフに操作される外部スタッフ端末装置へと通信で送信することで前記外部スタッフ端末装置上で外部専門スタッフに前記患者情報を提示させるとともに、前記外部スタッフ端末装置にて外部専門スタッフの入力操作の受付に応じて生成され該入力操作により入力された情報を有する生活指導の情報が、前記外部スタッフ端末装置から通信で受信されると、該生活指導の情報の受信に応じて、受信された生活指導の情報を取得するステップと、
取得された生活指導の情報を前記コンピュータの生活指導情報記憶手段に記憶させるステップと、
前記コンピュータが前記生活指導情報記憶手段から前記生活指導の情報を読み出して、読み出した前記生活指導の情報を前記医療機関へ提供するために出力する処理を行うステップと、
を含むことを特徴とする生活指導支援方法。
【請求項１０】
生活習慣病治療のために患者の生活指導の情報を提供する情報処理をコンピュータに実行させる生活指導支援プログラムであって、
医療機関の患者の生活形態を含む患者情報を前記コンピュータが取得するステップと、
取得された前記患者情報を前記コンピュータの患者情報記憶手段に記憶させるステップと、
前記コンピュータが前記患者情報記憶手段から前記患者情報を読み出して、読み出した前記患者情報を、外部専門スタッフに操作される外部スタッフ端末装置へと通信で送信することで前記外部スタッフ端末装置上で外部専門スタッフに前記患者情報を提示させるとともに、前記外部スタッフ端末装置にて外部専門スタッフの入力操作の受付に応じて生成され該入力操作により入力された情報を有する生活指導の情報が、前記外部スタッフ端末装置から通信で受信されると、該生活指導の情報の受信に応じて、受信された生活指導の情報を取得するステップと、
取得された生活指導の情報を前記コンピュータの生活指導情報記憶手段に記憶させるステップと、
前記コンピュータが前記生活指導情報記憶手段から前記生活指導の情報を読み出して、読み出した前記生活指導の情報を前記医療機関へ提供するために出力する処理を行うステップと、
を前記コンピュータに実行させることを特徴とする生活指導支援プログラム。
【請求項１１】
請求項１０に記載の生活指導支援プログラムを格納した、コンピュータにて読取り可能な記録媒体。
【発明の詳細な説明】
【技術分野】
【０００１】
本発明は、生活習慣病治療のために患者の生活指導の情報を提供する情報処理技術に関する。
【背景技術】
【０００２】
糖尿病・高血圧・高脂血症といった生活習慣病患者が年々増えるなかで、生活習慣病患者が重篤に至らないための予防医療に対する社会的重要性は高まっている。
【０００３】
一方、医療機関サイドは機能分化が進み、病院（ベッド数が２０以上の医療機関）の受入体制が紹介患者中心にシフトしていくなかで、診療所（ベッド数が１９以下の医療機関）は、地域のプライマリケアの担い手として、生活習慣病患者を治療するウエイトが非常に高まってきている。多くの内科系診療所では、来院患者の半数以上が生活習慣病患者であるといわれている。
【０００４】
しかし、多くの診療所が、医師一人に看護士数人で構成される小規模診療であり、診療所での管理栄養士および運動療法士の常駐は困難であり、生活習慣病治療に必要な生活指導（食事指導や運動指導）に十分手が回らないのも事実である。
【０００５】
また、現在の診療現場では、医師が短い診察の時間にいくら患者教育を行っても、その場かぎりとなり、なかなか治療コンプライアンスを上げるまでに至っていない傾向が見られる。
【０００６】
また、患者側からの意識も、現在の生活習慣病治療は一律に制限的な生活を強いられることが一般的で、実現可能な個人向けのアドバイスを十分に受けてはいない、という認識が見られる。
【０００７】
以上の社会的背景の中で、従来の医療機関向けサービスは大手の病院が対象のサービスが殆どである。小規模の診療所を対象に、生活指導のような足りない機能の補完が十分になされているとはいえない。
【０００８】
結局、上述したように、診療所のような小規模の医療機関では、現状では生活指導が容易でない。以上の診療所の状況を踏まえたうえで、患者が求める治療を診療所が実行できるべく、診療所の生活習慣病治療の機能強化に向けたシステム開発が求められる。
【０００９】
ここで、従来の生活指導を支援する情報処理装置としては、特開２０００−２３９２３号公報（特許文献１）および特開２０００−３７３５４号公報に開示されたシステムが挙げられる。これらのシステムでは、マークシートを用いて患者情報が入力されると、生活指導の情報がコンピュータ内で自動生成され、出力される。
【００１０】
また、医療機関から患者情報をファクシミリで受け付け、患者情報に対応する生活指導をファクシミリで医療機関に返送するシステムも既に提案されている。このような従来のシステムによれば、診療所のような小規模の医療機関でも患者の生活指導が可能である。
【００１１】
しかしながら、従来のシステムは、決められたアルゴリズムに従って生活指導を生成しており、アルゴリズムを通して患者を何らかのかたちでパターン分けして、予め記憶されている生活指導の情報から患者パターンに該当する生活指導を生成しているものと考えられる。そのため、個々の患者の事情に応じた適切な生活指導を生成するのは容易でない。また、コンピュータ診断的な生活指導は、患者へのインパクトが十分に高いとはいえない。したがって、管理栄養士および運動療法士のような専門スタッフの直接指導を受けられる大病院に匹敵するような生活指導を小規模医療機関で提供することは、従来システムではやはり困難である。
【特許文献１】特開２０００−２３９２３号公報（第２〜３ページ、図１）
【特許文献２】特開２０００−３７３５４号公報（第２〜３ページ、図１）
【発明の開示】
【発明が解決しようとする課題】
【００１２】
本発明は、上記背景の下でなされたものであり、その目的は、診療所のような小規模医療機関にて、患者に合わせた適切な生活指導を容易に実現できる技術を提供することにある。
【課題を解決するための手段】
【００１３】
本発明の生活指導支援システムは、生活習慣病治療のために患者の生活指導の情報を提供するシステムである。本システムは、複数の医療機関にそれぞれ備えられる複数の医療機関端末装置と、前記複数の医療機関端末装置に通信で接続され、生活指導の情報を提供する生活指導支援装置と、前記生活指導支援装置にさらに通信で接続され、複数の外部専門スタッフにそれぞれ操作される複数の外部スタッフ端末装置と、を含む。そして、本システムでは、前記生活指導支援装置が、患者の生活形態を含む患者情報を取得する手段と、取得された前記患者情報を記憶する患者情報記憶手段と、前記患者情報記憶手段から前記患者情報を読み出して、読み出した前記患者情報を前記外部スタッフ端末装置へと通信で送信することで前記外部スタッフ端末装置上で外部専門スタッフに前記患者情報を提示させるとともに、前記外部スタッフ端末装置にて外部専門スタッフの入力操作の受付に応じて生成され該入力操作により入力された情報を有する生活指導の情報が、前記外部スタッフ端末装置から通信で受信されると、該生活指導の情報の受信に応じて、受信された生活指導の情報を取得する手段と、取得された生活指導の情報を記憶する生活指導情報記憶手段と、前記生活指導情報記憶手段から前記生活指導の情報を読み出して、前記医療機関端末装置へと通信で送信することで前記医療機関端末装置へ前記生活指導の情報を提供する手段と、を含む。医療機関は典型的には診療所であり、外部専門スタッフは典型的には管理栄養士および運動療法士である。
【００１４】
上述のように、本発明によれば、生活指導支援装置が複数の外部専門スタッフの端末装置と通信で接続される。そして、外部スタッフ端末装置にて生成された生活指導の情報が生活指導支援装置を経由して医療機関へと渡される。したがって、専門スタッフが医療機関に常駐しないにもかかわらず、大病院で見られるような専門スタッフの直接指導に近い生活指導を医療機関で容易に実現できる。
【００１５】
本発明の別の態様は、生活習慣病治療のために患者の生活指導の情報を提供する生活指導支援装置である。本装置は、複数の外部専門スタッフにそれぞれ操作される複数の外部スタッフ端末装置と通信する通信手段と、医療機関の患者の生活形態を含む患者情報を取得する患者情報取得手段と、取得された前記患者情報を記憶する患者情報記憶手段と、前記患者情報記憶手段から前記患者情報を読み出して、読み出した前記患者情報を前記外部スタッフ端末装置へと通信で送信することで前記外部スタッフ端末装置上で外部専門スタッフに前記患者情報を提示させるとともに、前記外部スタッフ端末装置にて外部専門スタッフの入力操作の受付に応じて生成され該入力操作により入力された情報を有する生活指導の情報が、前記外部スタッフ端末装置から通信で受信されると、該生活指導の情報の受信に応じて、受信された生活指導の情報を取得する生活指導情報取得手段と、取得された生活指導の情報を記憶する生活指導情報記憶手段と、前記生活指導情報記憶手段から前記生活指導の情報を読み出して、読み出した前記生活指導の情報を前記医療機関へ提供するために出力する処理を行う生活指導情報提供手段と、を含む。この態様でも上述の本発明の利点が得られる。生活指導の情報は好ましくは通信で医療機関に提供されるが、これに限定されない。
【００１６】
ここで、生活指導の情報を医療機関へ提供するための処理は、典型的には、医療機関のために生活指導の情報を出力する処理ということができる（この場合、生活指導情報提供手段が出力手段と表現できる）。この出力処理は、上述の通信で医療機関端末装置へ送出する処理を含む。出力処理は、郵送等で渡されるべき生活指導のシートをプリントする処理を含む。同様に、出力処理は、ＣＤ−Ｒ等の記録媒体へ生活指導の情報を格納するようにデータを出す処理を含む。
【００１７】
好ましくは、前記患者情報取得手段は、患者情報として、医療機関における治療プランを含む情報を取得し、前記生活指導情報取得手段は、前記治療プランを含む前記患者情報を前記外部スタッフ端末装置に送るとともに、前記外部スタッフ端末装置で生成された生活指導の情報を取得する。本発明によれば、治療プランが参照されるので、治療プランに応じた適切な生活指導の情報を提供できる。
【００１８】
好ましくは、前記患者情報取得手段は、患者情報として、指導対象患者の生活記録を含む情報を取得し、前記生活指導情報取得手段は、前記生活記録の添削のための入力操作の受付に応じて前記生活記録の情報を変更する前記外部スタッフ端末装置での前記生活記録の添削処理を経た前記生活記録の情報を前記外部スタッフ端末装置から取得する。本発明によれば、生活記録の添削処理により生成された生活指導の情報が提供される。コンピュータ診断のような一律的な指導情報と比べて、対象患者固有の指導であることを実感しやすい情報を患者に提供できる。これにより、生活指導効果の向上が期待できる。
【００１９】
好ましくは、本発明の装置は、各々の指導対象患者を担当するように設定された外部専門スタッフを指導対象患者と関連づけて記憶する担当外部スタッフ記憶手段を含み、前記生活指導情報取得手段は、前記担当外部スタッフ記憶手段から指導対象患者を担当すべき外部専門スタッフの情報を読み出し、読み出した外部専門スタッフが操作する外部スタッフ端末装置から受信される生活指導の情報を取得する。
【００２０】
本発明によれば、各患者の担当スタッフが特定される。複数の外部スタッフ端末装置が生活指導支援装置に接続されているにも拘わらず、指導対象患者に対して同一担当スタッフによる生活指導を繰り返し継続的に受けさせることができ、これによる生活指導効果のさらなる向上が期待できる。また、診療所で同一スタッフの指導を定期的に受けるのと同様な感覚をも患者に提供でき、この点でも生活指導効果の向上が図れる。
【００２１】
また好ましくは、前記生活指導情報取得手段は、外部専門スタッフである管理栄養士に操作される外部スタッフ端末装置に患者情報を通信で提示して食事指導の情報を取得する。管理栄養士を常駐させることが困難な診療所等でも、適切な食事指導が可能となる。
【００２２】
また好ましくは、前記生活指導情報取得手段は、外部専門スタッフである運動療法士に操作される外部スタッフ端末装置に患者情報を通信で提示して運動指導の情報を取得する。運動療法士を常駐させることが困難な診療所等でも、適切な運動指導が可能となる。
【００２３】
また好ましくは、前記患者情報記憶手段は、生活指導の情報を生成するための基礎情報になる患者の治療プランの情報を含む患者情報を記憶し、さらに、本発明の装置は、医療機関の情報を記憶する医療機関情報記憶手段と、各患者と該患者が通院する医療機関を対応づける患者医療機関対応情報を記憶する手段と、前記治療プランの情報を含む前記患者情報と前記医療機関の情報と前記患者医療機関対応情報を読み出し、前記治療プランの対象の患者に対応する医療機関を前記患者医療機関対応情報から求めるとともに、前記治療プラン上で要求されるリマインド事項を前記治療プランの情報から求め、前記医療機関の情報に基づいて、前記患者医療機関対応情報が示す医療機関から前記患者へ前記リマインド事項を伝えるリマインド情報を生成するリマインド情報生成手段と、を含む。
【００２４】
本発明によれば、治療プランの情報に加えて、医療機関情報と患者医療機関対応情報を生活指導支援装置に記憶しておく。これにより、治療プランに示されるリマインド事項を、医療機関から該当患者へのリマインドメッセージのかたちで患者へと伝えられる。このように、本発明によれば、生活指導の情報を生成するための基礎情報になる治療プランの情報が、生活指導だけでなく医療機関から患者へのリマインドにも活用される。治療プラン情報の効果的な利用により、本発明の生活指導支援装置に、生活指導機能に加えて、リマインドを通じた治療促進機能も持たせることができる。
【００２５】
本発明は上記のシステムおよび装置の態様に限定されない。本発明は、例えば、方法、プログラムおよびプログラム記録媒体で表現されてもよい。例えば、本発明の別の態様は、情報処理による生活指導支援方法であり、また、同方法をコンピュータに実行させるプログラムであり、また、同プログラムを記録した媒体である。
【発明の効果】
【００２６】
上述のように、本発明によれば、専門スタッフの直接指導に近い生活指導を医療機関で容易に実現できる。診療所のような小規模医療機関でも、大病院と遜色ない、患者に合わせた適切な生活指導を容易に実現することが可能となる。
【発明を実施するための最良の形態】
【００２７】
以下、本発明の実施の形態を図面を参照して説明する。
【００２８】
図１は、本実施の形態の生活指導支援システムを示している。生活指導支援システム１は、生活指導支援装置２、複数の診療所端末装置３、複数の外部スタッフ端末装置４および複数の患者端末装置５で構成され、これらはネットワークＮに接続される。図では、診療所端末装置３、外部スタッフ端末装置４、患者端末装置５が３つずつ示されているが、実際にはより多数の端末が接続される。
【００２９】
本実施の形態では、生活指導支援装置２は、ＷＷＷサーバおよびデータベースサーバの機能をもつコンピュータシステムである。また、診療所端末装置３、外部スタッフ端末装置４および患者端末装置５はパーソナルコンピュータである。診療所端末装置３は本発明の医療機関端末装置に相当し、診療所に配置される。外部スタッフ端末装置４および患者端末装置５は、それぞれ、外部専門スタッフおよび患者により操作される。
【００３０】
本実施の形態では、外部専門スタッフは管理栄養士および運動療法士である。外部専門スタッフは、本システムに関わっているが、生活指導支援装置２が設置されるセンタに常駐はしていない人材である。したがって、外部スタッフ端末装置４は、センタからも、診療所からも離れた場所、典型的には、外部専門スタッフの自宅に設置されている。
【００３１】
図２を参照すると、生活指導支援装置２は、診療所端末装置３、外部スタッフ端末装置４および患者端末装置５と通信可能に接続される。生活指導支援装置２の通信手段は、図示されないが、ＷＷＷサーバとしての機能により実現される。
【００３２】
生活指導支援装置２は、ハードウエア的には、コンピュータの構成要素であるＣＰＵ、ＲＯＭ、メインメモリ、外部記憶装置であるハードディスク、ＣＤ−ＲＯＭ等の記録媒体装着部、入出力装置、通信機能部等で構成される。メインメモリ上のプログラムに従ってＣＰＵが動作することで生活指導支援装置が実現される。メインメモリおよびハードディスクが、後述する各種の情報、例えば患者情報の記憶手段として機能し、ＣＰＵが、記憶された情報を読み出して処理する各種の処理手段として機能する。このような事項は、外部スタッフ端末装置等の他のコンピュータでも同様である。
【００３３】
図２において、診療所ファクシミリ装置６およびセンタファクシミリ装置７はそれぞれファクシミリ装置である。診療所ファクシミリ装置６は診療所端末装置３と共に診療所に備えられ、また、センタファクシミリ装置７は、生活指導支援装置２が備えられる生活指導支援センタに、生活指導支援装置２と共に備えられる。
【００３４】
図３は、生活指導支援装置２の構成を示す機能ブロック図である。図示のように、生活指導支援装置２は、患者情報取得部１１、生活指導情報取得部１３、生活指導情報提供部１５、栄養計算ソフト機能提供部１７、疾病管理コンテンツ提示部１９、患者個人ページ提供部２１、診療所情報データベース２３、患者情報データベース２５および疾病管理コンテンツデータベース２７で構成される。
【００３５】
患者情報取得部１１は患者情報を取得する。取得された患者情報は、患者情報記憶手段に相当する患者情報データベース２５に記憶される。患者情報は、診療所の患者の生活形態を含む情報であり、生活形態の情報は、本実施の形態では食生活および運動といった生活記録の情報である。
【００３６】
より詳細には、本実施の形態では、患者情報取得部１１は、患者情報として、治療プラン、問診データ、食事日記、病状データを取得する。食事日記が上記の生活記録に該当する。
【００３７】
患者情報は診療所から提供される。本実施の形態では、患者情報は、診療所ファクシミリ装置６からセンタファクシミリ装置７へと送信されてきて、生活指導支援装置２に取得される。このとき、センタファクシミリ装置７が生活指導支援装置２にＬＡＮ等で接続され、患者情報が生活指導支援装置２に取り込まれてもよい。また、生活指導支援装置２がファクシミリサーバの機能を有することで、図２のセンタファクシミリ装置７を内蔵し、これによりファクシミリで受信した情報を取り込んでもよい。
【００３８】
また、患者情報は、キーボード等の入力手段を用いてオペレータにより入力され、これにより患者情報取得部１１が患者情報を取得してもよい。入力手段はスキャナでもよく、このときに文字認識等のソフトウエアが用いられてもよい。
【００３９】
また、本発明の範囲内で、生活指導支援装置２と診療所端末装置３との通信を通じて、患者情報取得部１１が患者情報を取得してもよい。この場合、ＷＷＷサーバの機能が利用されて、ＷＥＢを使って患者情報が入手されてもよい。
【００４０】
次に、生活指導情報取得部１３は、患者情報を外部スタッフ端末装置４へと提示して、外部スタッフ端末装置４にて患者情報に基づいて生成された生活指導の情報を取得する。より詳細には、生活指導情報取得部１３は、患者情報データベース２５から患者情報を読み出して、読み出した患者情報を外部スタッフ端末装置４へと通信で送信することで外部スタッフ端末装置４上で外部専門スタッフに患者情報を提示させるとともに、外部スタッフ端末装置４にて外部専門スタッフの入力操作の受付に応じて生成され、入力操作により入力された情報を有する生活指導の情報が、外部スタッフ端末装置４から通信で受信されると、生活指導の情報の受信に応じて、受信された生活指導の情報を取得する。取得された生活指導の情報は、患者情報データベース２５に記憶される。すなわち、患者情報データベース２５は生活指導情報記憶手段としても機能している。以下、生活指導情報取得部１３についてさらに説明する。
【００４１】
生活指導情報取得部１３は、ＷＷＷサーバの機能を用いて実現される。患者情報は、患者情報データベース２５から読み出され、ＷＥＢページのかたちで外部スタッフ端末装置４上で外部専門スタッフに提示される。
【００４２】
外部専門スタッフは、提示された患者情報に基づき、外部スタッフ端末装置４を操作して、ＷＥＢページ上で、対象患者に合わせた生活指導の情報を入力する。外部専門スタッフがＷＥＢページに生活指導を記入する入力操作を行うと、この入力操作が外部スタッフ端末装置４に受け付けられ、入力操作の受付に応じて生活指導の情報が生成される。上記入力操作で入力された情報を有する生活指導の情報が生成される。ここでは、生活指導支援装置２から送られてきた所定の生活指導フォーマットが表示され、その生活指導フォーマット上に記入する記入操作が行われ、記入操作が受け付けられて、記入内容が生活指導フォーマット上に反映される。生活指導の情報は、生活指導支援装置２に送られて、生活指導情報取得部１３に取得される。
【００４３】
生活指導情報取得部１３は、患者情報として、生活記録（食事日記、運動日記）とともに治療プランを提示する。外部スタッフ端末装置４では、治療プランが参照され、治療プランに基づいた生活指導の情報が生成され、これが生活指導情報取得部１３に取得される。
【００４４】
また、本実施の形態では、生活指導の情報は、生活指導レポートと、添削された生活記録で構成される。添削に関して、生活指導情報取得部１３は、生活記録の添削のための入力操作の受付に応じて生活記録の情報を変更する外部スタッフ端末装置４での生活記録の添削処理を経た生活記録の情報を外部スタッフ端末装置４から取得する。生活記録の添削と生活指導レポートの作成に関して、以下に、より詳細に説明する。
【００４５】
外部専門スタッフは、患者の生活が改善するように、外部スタッフ端末装置４に提示された生活記録を添削する操作を行う。この操作が外部スタッフ端末装置４に受け付けられる。
【００４６】
外部スタッフ端末装置４は、添削入力操作を生活記録に反映する添削処理を行う。これにより生活記録に添削を加える変更が行われる。このような添削処理により、指導対象患者の改善生活（改善された生活）が表された情報が生成される。
【００４７】
外部専門スタッフは、さらに、外部スタッフ端末装置４を操作して、ＷＥＢページ上で、添削した生活記録に関連して、生活指導レポートを作成する。生活指導レポートと添削された生活記録が診療所端末装置３に送られ、生活指導情報取得部１３に取得される。
【００４８】
また、本実施の形態では、各々の指導対象患者を担当する外部専門スタッフが予め設定されている。担当スタッフは、新しい患者の情報が取得された時点で割り当てられる。担当スタッフは生活指導支援装置２の内部処理で自動的に割り当てられてもよい。また、割当て処理は、所定のスタッフ番号に従って順次新しい患者を割り当てるように行われてもよい。また、割当て処理はランダムに行われてもよい。また、各診療所の担当スタッフが常に、または部分的に固定されていてもよい。担当スタッフは、指導対象患者と関連づけて患者情報データベース２５に記憶される（すなわち、患者情報データベース２５が本発明の担当外部スタッフ記憶手段として機能する）。
【００４９】
そして、生活指導情報取得部１３は、患者情報データベース２５から指導対象患者を担当すべき外部専門スタッフの情報を読み出し、読み出した外部専門スタッフが操作する外部スタッフ端末装置から受信される生活指導の情報を取得する。
【００５０】
ここでは、生活指導情報取得部１３は、各指導対象患者の患者情報を、該当する担当スタッフが操作する外部スタッフ端末装置４に提示し、この外部スタッフ端末装置４で生成された生活指導の情報を取得する。また、このとき、生活指導情報取得部１３は、患者情報データベース２５に記憶された担当スタッフの情報を参照し、各患者情報を参照できる外部スタッフ端末装置４を、担当スタッフの端末装置に制限する。
【００５１】
このような処理により、各患者の生活指導は、割り当てられた担当スタッフにより、継続的に、外部スタッフ端末装置４を通じて行われる。
【００５２】
また、図３において、栄養計算ソフト機能提供部１７は、外部スタッフ端末装置４に対して、栄養計算ソフトの機能を提供する。この機能は、ＷＷＷサーバの機能を使って外部スタッフ端末装置４に提示される。外部専門スタッフである管理栄養士は、生活指導を作成するとき、ＷＥＢページ上で栄養計算ソフトを使用して、栄養計算を容易に行える。
【００５３】
また、疾病管理コンテンツ提示部１９は、疾病管理コンテンツデータベース２７に記憶されたコンテンツを外部スタッフ端末装置４に提示する。疾病管理コンテンツデータベース２７は、本実施の形態の生活指導支援システム１にて過去に生成された生活指導の内容を蓄積している。より詳細には、食事指導コンテンツと運動指導コンテンツが蓄積されている。これらコンテンツは、外部スタッフ端末装置４からの要求に応じて、疾病管理コンテンツ提示部１９により提示される。外部専門スタッフは、これらコンテンツを参照して、生活指導の資料に使用できる。
【００５４】
疾病管理コンテンツデータベース２７には、本システムで生成される生活指導のコンテンツが次々と蓄積されていく。このような疾病管理コンテンツデータベース２７の成長により、コンテンツがノウハウとして蓄えられ、よりよい生活指導の作成に役立てられる。
【００５５】
次に、生活指導情報提供部１５について説明する。生活指導情報提供部１５は、生活指導情報取得部１３で取得された生活指導の情報を診療所へ提供するための処理を行う。本実施の形態では、ＷＷＷサーバの機能を利用して、通信で生活指導の情報が提供される。すなわち、生活指導の情報は、診療所端末装置３にてＷＥＢページ上で提供され、そして、診療所端末装置３にてプリントアウトされる。
【００５６】
生活指導の情報は、ＰＤＦファイル等の形式で診療所端末装置３にダウンロードされてもよい。また、生活指導支援装置２がメールサーバの機能を有し、生活指導の情報が、電子メールまたはその添付ファイルのかたちで診療所端末装置３に送信されてもよい。
【００５７】
また、本発明の範囲内で、生活指導の情報は、生活指導支援装置２から診療所端末装置３へ直接通信で送られなくてもよい。
【００５８】
生活指導の情報は、ファクシミリで診療所に送られてもよい。この場合、患者情報を取得する構成に関して既に説明したように、センタファクシミリ装置７が生活指導支援装置２と接続されてもよい。生活指導情報は、生活指導支援装置２からセンタファクシミリ装置７を経由して診療所ファクシミリ装置６へ送信される。また、ファクシミリ機能が生活指導支援装置２に内蔵されてもよい。
【００５９】
また、センタファクシミリ装置７が生活指導支援装置２と接続されなくてもよい。プリントアウトされた生活指導の情報がセンタファクシミリ装置７で送信される。
【００６０】
さらに、本発明の範囲内で、生活指導の情報は、郵送で診療所に送られてもよい。この場合、生活指導情報提供部１５は、生活指導の情報を医療機関に提供するための処理として、生活指導の情報をプリント等により出力する処理を行う。生活指導の情報は、ＣＤ−Ｒ等の記録媒体に格納されてもよい。なお、前述の患者情報も、診療所から生活指導支援センタへと郵送で提供されてもよい。
【００６１】
次に、患者個人ページ提供部２１について説明する。患者個人ページ提供部２１は、ＷＷＷサーバの機能により、各患者へと患者個人ホームページを提供する。
【００６２】
患者個人ページ提供部２１は、診療所情報データベース２３を参照する。診療所情報データベース２３には、各診療所の名称、所在地を含むプロフィール等、診療所のホームぺージを提供するための情報を記憶している。この情報を用いて診療所ごとのホームページが提供される。そして、患者個人ホームページは、患者が通う診療所のホームページの中に含まれるかたちで患者に提供される。したがって、患者は、患者端末装置５を操作し、まず、自分が通う診療所のホームページにアクセスし、それから、自分のホームページにアクセスする。
【００６３】
患者個人ページ提供部２１は、患者個人ホームページを提供するために、患者情報データベース２５の患者情報を参照する。患者情報の治療プランが参照され、治療プランに従った適当な情報が患者個人ホームページに載せられる。
【００６４】
本実施の形態によれば、患者個々人の治療経過情報を、Ｗｅｂ上に患者個人ホームページとして提供し、医師と患者のコミュンケーション媒体とすることができる。患者個人ホームページ上では、患者の同意の下、以下のような情報が好適に提供される。
【００６５】
すなわち、検査データのトラッキングや医師からのメッセージが好適に記載される。生活指導の情報もホームページで提供されてよい。食事や運動指導の内容も日々更新することで、それをもとに自宅での生活を改善してゆくことが可能となる。患者からの質問や来院予約、次回来院時に必要な問診内容も、事前にＷｅｂ上での登録可能にすることが好適で、来院時の効率的な診察が可能となる。また、患者にリマインドが必要な事項（検査日の案内や、来院の連絡等）も提供できる。
【００６６】
このようにして、本実施の形態は、従来容易でないとされている患者のフォローアップおよびアフターケアをも従来より容易にすることができ、これらの充実に寄与することができる。
【００６７】
また、上記の患者個人ページ提供部２１は、リマインド事項を患者に伝えることで、本発明のリマインド情報生成手段として機能している。リマインド情報生成手段は、治療プランの情報を含む患者情報と医療機関の情報と患者医療機関対応情報を読み出し、治療プランの対象の患者に対応する医療機関を患者医療機関対応情報から求めるとともに、治療プラン上で要求されるリマインド事項を治療プランの情報から求め、医療機関の情報に基づいて、患者医療機関対応情報が示す医療機関から患者へ前記リマインド事項を伝えるリマインド情報を生成する。
【００６８】
本実施の形態の場合、既に説明したように、治療プランを含む患者情報は患者情報データベース２５に記憶されている。また、医療機関である診療所の情報が診療所情報データベース２３に記憶されている。また、患者医療機関対応情報は、各患者と該患者が通院する医療機関を対応づける情報であり、本実施の形態では、この情報が患者情報データベース２５に患者情報の一部として記憶される。
【００６９】
患者個人ページ提供部２１は、診療所の情報、治療プランの情報および患者医療機関対応情報を読み出して利用している。患者個人ページ提供部２１は、患者に対応する診療所を患者医療機関対応情報から求めている。また、患者個人ページ提供部２１は、治療プランの情報からリマインド事項を求めている。そして、患者個人ページ提供部２１は、さらに診療所の情報に基づいて、診療所ホームページ内の患者個人ホームページであって、かつ、リマインド事項が載った患者個人ホームページを生成し、提供している。このＷＥＢページの情報は、医療機関から患者へリマインド事項を伝えるリマインド情報として機能しており、このようにして、本発明のリマインド情報生成手段の機能が実現されている。
【００７０】
なお、リマインド情報は、上記の患者個人ホームページ以外のかたちで患者へ提供されてもよい。生活指導支援装置２にメールサーバの機能が備えられ、医療機関から患者へのリマインドメッセージが電子メールで送られてもよい。
【００７１】
また、リマインド情報は郵送で提供されてもよい。この場合、生活指導支援装置２は、診療所の情報と患者の治療プランの情報に基づき、診療所から患者へのリマインドレターの情報を生成する。このときに生活指導支援装置２がリマインド情報生成手段として機能する。リマインドレターはプリントアウトされ、患者宛に郵送される。診療所情報データベース２３が参照され、診療所から患者へのダイレクトメールのかたちでリマインドレターが郵送されてよい。
【００７２】
図４は、生活指導支援装置２に備えられる患者情報データベース２５に格納される情報を示している。上述の生活指導支援装置２の説明に示される通り、患者情報データベース２５は、患者のプロフィール（性別、年齢等）、治療プラン、生活日記（食事、運動）、生活指導（生活日記の添削および生活指導レポート）、病状データ、担当の外部専門スタッフを記憶している。これらは、既に説明したように、患者情報取得部１１で取得された情報であり、また、生活指導情報取得部１３で取得されて情報であり、また、生活指導支援装置２内で生成された情報（例えば担当スタッフの割当て）である。その他、図示されないが、患者が通院する診療所を示す情報も記憶されている。
【００７３】
また、図５および図６は、患者情報データベース２５から読み出されて外部スタッフ端末装置４に提示される情報の好適な例を示している。図５は、患者プロフィール情報サマリーであり、図６は病歴情報サマリーである。図示のように、治療プランの情報もこれらに含まれている。
【００７４】
次に、図７は、外部スタッフ端末装置４を示す機能ブロック図である。既に説明したように、外部スタッフ端末装置４は、外部専門スタッフにより操作されるパーソナルコンピュータで構成される。
【００７５】
図示される外部スタッフ端末装置４の機能は、パーソナルコンピュータに組み込まれたブラウザソフトによって実現される。図７の例では生活記録が食事日記であり、食事日記がＷＥＢ上で取得される。そして、食事添削が、外部専門スタッフの入力操作に従って行われ、添削された食事日記が作成される。また、同時にアドバイスシートも、外部専門スタッフの入力操作に従って作成される。アドバイスシートは、前述の生活指導レポートに相当する。
【００７６】
添削およびレポート作成時、図５の患者プロフィール情報サマリーおよび病歴情報もＷＥＢページ上で参照される。また、栄養計算ソフトの機能がＡＳＰ（アプリケーションサービスプロバイダ）で提供される。指導コンテンツ（図３の疾病管理コンテンツデータベース２７に記憶されたコンテンツ）も随時提供され、参照される。
【００７７】
また、生活指導作成の際は、食事添削と共に、実行チェックも行われる。実行チェックは、過去の生活指導で指導した事項が実行されたか否かのチェックである。チェック結果が外部専門スタッフにより入力されると、この情報が受け付けられて、アドバイスシート内に反映される。
【００７８】
また、本実施の形態では、生活記録（図７の食事日記を含む）は、患者により手で記入された情報でよい。この場合、例えば、生活記録が生活指導支援装置２にスキャナで読み込まれて、記憶され、そして、生活指導支援装置２から外部スタッフ端末装置４へ提示される。そして、外部スタッフ端末装置４では、添削およびレポートの情報がキーボードを利用して記入される。
【００７９】
図８〜図１１は、食事日記の例を示している。図８は、記入されていない食事日記を示している。図９〜図１１は、患者の記入と管理栄養士による添削の後の食事日記の例を示している。図が分かりやすいように、図８のシートが、図９〜図１１の３枚の図面に分けられている。また、図９〜図１１には示されないが、上述のように、患者の記入部分は手書きでよい。
【００８０】
次に、図１２〜図１４は、アドバイスシートの例を示している。図１２は、記入されていないアドバイスシートを示している。図１３および図１４は、記入後のアドバイスシートの例を示している。図が分かりやすいように、図１２のシートが、図１３および図１４の２枚の図面に分けられている。また、図１４の下方に示されるように、アドバイスシートには、担当の管理栄養士も明示される。
【００８１】
次に、生活指導支援システム１のセキュリティ確保について説明する。本実施の形態では、セキュリティは以下のようにして確保される。
【００８２】
まず、生活指導支援システム１では、患者のプライバシー情報保護の観点から、本システム利用は患者同意を前提としている。また、ハードウェア・情報ネットワークのインフラに関しては、地域ＩＰ網を利用したクローズドネットワークで対応し、関係者以外の侵入を防ぐ。また、個人データに関しては暗号化対応を行う。さらに、システム運用セキュリティでは、利用者間でＩＤおよびパスワードによるアクセス権管理を徹底して行う。このようにして、生活指導支援システム１のセキュリティが確保される。
【００８３】
次に、生活指導支援システム１の動作の好適な例を説明する。ここでは、食事指導の際の動作を主として説明する。図２を参照すると、患者Ｐは診療所に行き、診察を受ける。このとき、患者は問診表に記入し、診察時に医師に提出する。また、再来院のとき、患者Ｐは、毎日食べた食事を記録した食事日記を持参し、医師に提出する。問診表および食事日記は手書きでもよい。
【００８４】
問診表および食事日記は、患者情報として、診療所ファクシミリ装置６からセンタファクシミリ装置７へ送られ、生活指導支援センタへ提供される。その他の患者情報、例えば治療プランおよび病状データもファクシミリで送信される。送信された患者情報は生活指導支援装置２に取り込まれ、これにより生活指導支援装置２が患者情報を取得する。患者情報は、生活指導支援装置２の患者情報データベース２５に記憶される。
【００８５】
次に、患者情報は、生活指導支援装置２から外部スタッフ端末装置４に、ＷＥＢページを利用して通信で提示される。そして、外部スタッフ端末装置４にて患者情報に基づいて生成された生活指導の情報を、生活指導支援装置２が通信で取得する。
【００８６】
患者情報としては上述の食事日記が使われる。食事日記は、外部スタッフ端末装置４で添削される。ここでは、手書きの食事日記が画面に表示され、キーボードから添削内容が外部専門スタッフにより書き込まれる。記入操作が受け付けられ、記入内容を食事日記に反映する添削処理が行われる。また、生活指導レポートのフォーマットに記入するキーボード操作が外部専門スタッフにより行われると、記入操作が受け付けられ、記入内容を反映する処理により生活指導レポートが生成される。
【００８７】
生活指導の情報を生成する際には、治療プランの情報が外部スタッフ端末装置４に提示され、外部専門スタッフである管理栄養士に提示される。そして、治療プランに従った生活指導の情報が生成される。治療プランとしては、図５および図６で例示した内容が提示されてよい。
【００８８】
また、生活指導の情報を生成する際には、対象患者の担当者として指定されている管理栄養士の外部スタッフ端末装置４により生活指導の情報が生成される。担当スタッフの情報は、生活指導支援装置２の患者情報データベース２５に記憶されており、必要に応じて参照される。好ましくは、生活指導支援装置２は、患者情報の提示を、担当スタッフの外部スタッフ端末装置４に制限する処理を行う。
【００８９】
また、生活指導の情報を生成する際には、生活指導支援装置２の栄養計算機能が外部スタッフ端末装置４に提供される。これにより管理栄養士は容易に栄養計算ができる。
【００９０】
また、生活指導の情報を生成する際には、外部スタッフ端末装置４からの要求に応じて、生活指導支援装置２の疾病管理コンテンツ提示部１９が、疾病管理コンテンツデータベース２７に蓄積された過去の指導のコンテンツを外部スタッフ端末装置４に提示する。このコンテンツは、管理栄養士に参考とされる。
【００９１】
生活指導レポートおよび添削された食事日記は、生活指導の情報として生活指導支援装置２に返され、これにより生活指導支援装置２が生活指導の情報を取得する。生活指導支援装置２では、生活指導の情報が患者情報データベース２５に記憶される。また、生活指導の内容は、今後の指導の資料になるコンテンツとして、疾病管理コンテンツデータベース２７に蓄積される。
【００９２】
生活指導の情報は、生活指導支援装置２から診療所端末装置３へと、ＷＥＢページを利用して通信で提供される。そして、診療所端末装置３から生活指導の情報が、患者の来院時に出力される。ここでは、添削された食事日記と生活指導レポートがプリントアウトされる。これらプリントアウトは、患者に手渡される。また、医師は、食事日記と生活指導レポートに基づき、患者に生活指導を行う。
【００９３】
また、患者端末装置５に対しては、生活指導支援装置２が患者個人ホームページを提供する。生活指導支援装置２の診療所情報データベース２３と患者情報データベース２５が参照され、診療所のホームページの中で、治療プラン等の患者情報に基づいた患者個人ホームページが提示される。これにより、医師と患者の好適なコミュニケーション媒体が提供される。
【００９４】
患者個人ホームページはリマインド機能をもっている。生活指導支援装置２では、治療プランに示されるリマインドすべき事項を示すリマインド情報が生成され、リマインド情報が患者個人ホームページで提示される。診療所からの案内というかたちでリマインド情報を提供できる。
【００９５】
以上、本発明の好適な実施の形態を説明した。上述に説明したように、本発明によれば、生活指導支援装置が複数の外部専門スタッフの端末装置と通信で接続される。そして、外部スタッフ端末装置にて生成された生活指導の情報が生活指導支援装置を経由して医療機関へと渡される。したがって、専門スタッフが医療機関に常駐しないにもかかわらず、大病院で見られるような専門スタッフの直接指導に近い生活指導を医療機関で容易に実現できる。診療所のような小規模医療機関でも、大病院と遜色ない、患者に合わせた適切な生活指導を容易に実現することが可能となる。
【００９６】
また、本発明によれば、治療プランが外部スタッフ端末装置に提示され、治療プランに基づいて生成された生活指導の情報が取得される。治療プランが参照されるので、治療プランに応じた適切な生活指導の情報を提供できる。
【００９７】
また、本発明によれば、生活記録の情報が外部スタッフ端末装置に提示され、生活記録の添削処理により生成された生活指導の情報が提供される。コンピュータ診断のような一律的な指導情報と比べて、対象患者固有の指導であることを実感しやすい情報を患者に提供できる。これにより、生活指導効果の向上が期待できる。
【００９８】
また、本発明によれば、各々の指導対象患者を担当する外部専門スタッフが記憶されており、担当の外部専門スタッフにより生活指導の情報が生成され、したがって、各患者の担当スタッフが特定される。複数の外部スタッフ端末装置が生活指導支援装置に接続されているにも拘わらず、指導対象患者に対して同一担当スタッフによる生活指導を繰り返し継続的に受けさせることができ、これによる生活指導効果のさらなる向上が期待できる。また、診療所で同一スタッフの指導を定期的に受けるのと同様な感覚をも患者に提供でき、この点でも生活指導効果の向上が図れる。
【００９９】
また、本発明によれば、外部専門スタッフである管理栄養士に操作される外部スタッフ端末装置に患者情報が通信で提示され、食事指導の情報が取得される。管理栄養士を常駐させることが困難な診療所等でも、適切な食事指導が可能となる。
【０１００】
また、本発明によれば、外部専門スタッフである運動療法士に操作される外部スタッフ端末装置に患者情報が通信で提示され、運動指導の情報が取得される。運動療法士を常駐させることが困難な診療所等でも、適切な運動指導が可能となる。
【０１０１】
このようにして、本発明によれば、専門スタッフの直接指導に近い生活指導を医療機関で容易に実現できる。診療所のような小規模医療機関でも、大病院と遜色ない、患者に合わせた適切な生活指導を容易に実現することが可能となる。
【０１０２】
さらに、本実施の形態のメリットを医療機関である診療所および患者の立場で言及すると、診療所のメリットとしては、生活指導が、小規模診療所においても、効率的かつ効果的に実行できる。また、生活習慣病の患者教育・生活指導・アフターケアが充実した診療所として、患者に選ばれる診療所として、周辺医療機関と差別化することができる。また、患者のメリットとしては、通院している診療所で充実した生活指導（食事指導）を受けることができる。また、患者教育の徹底と充実したアフターケアにより、治療意欲が向上する。
【０１０３】
また、本発明によれば、医療機関から患者へのリマインド情報が生成される。この点に関し、本発明では、治療プランの情報に加えて、医療機関情報を生活指導支援装置に記憶しておく。これにより、治療プランに示されるリマインド事項を、医療機関から該当患者へのリマインドメッセージのかたちで患者へと伝えられる。このように、本発明によれば、生活指導の情報を生成するための基礎情報になる治療プランの情報が、生活指導だけでなく医療機関から患者へのリマインドにも活用される。治療プラン情報の効果的な利用により、本発明の生活指導支援装置に、生活指導機能に加えて治療促進機能も持たせることができる。
【０１０４】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１０５】
本発明は、生活習慣病治療のために患者の生活指導の情報を提供する情報処理技術として有用である。
【図面の簡単な説明】
【０１０６】
【図１】本発明の実施の形態に係る生活指導支援システムを示す図である。
【図２】本発明の実施の形態に係る生活指導支援システムを示す図である。
【図３】生活指導支援装置の機能ブロック図である。
【図４】患者情報データベースに格納される情報を示す図である。
【図５】生活指導支援装置から画面提示される患者プロフィール情報サマリーを示す図である。
【図６】生活指導支援装置から画面提示される患者の病歴情報サマリーを示す図である。
【図７】外部スタッフ端末装置のを示す図である。
【図８】記入前の食事日記の例を示す図である。
【図９】患者の記入と管理栄養士による添削の後の食事日記の例を示す図である。
【図１０】患者の記入と管理栄養士による添削の後の食事日記の例を示す図である。
【図１１】患者の記入と管理栄養士による添削の後の食事日記の例を示す図である。
【図１２】記入前のアドバイスシートの例を示す図である。
【図１３】記入後のアドバイスシートの例を示す図である。
【図１４】記入後のアドバイスシートの例を示す図である。
【符号の説明】
【０１０７】
１  生活指導支援システム
２  生活指導支援装置
３  診療所端末装置
４  外部スタッフ端末装置
５  患者端末装置
６  診療所ファクシミリ装置
７  センタファクシミリ装置
１１  患者情報取得部
１３  生活指導情報取得部
１５  生活指導情報提供部
１７  栄養計算ソフト機能提供部
１９  疾病管理コンテンツ提示部
２１  患者個人ページ提供部
２３  診療所情報データベース
２５  患者情報データベース
２７  疾病管理コンテンツデータベース
【図１】
2005107625.tif 000003
【図２】
2005107625.tif 000004
【図３】
2005107625.tif 000005
【図４】
2005107625.tif 000006
【図５】
2005107625.tif 000007
【図６】
2005107625.tif 000008
【図７】
2005107625.tif 000009
【図８】
2005107625.tif 000010
【図９】
2005107625.tif 000011
【図１０】
2005107625.tif 000012
【図１１】
2005107625.tif 000013
【図１２】
2005107625.tif 000014
【図１３】
2005107625.tif 000015
【図１４】
2005107625.tif 000016